(57)【要約】【課題】従来のエコーキャンセル回路は、キャンセル信号のボリューム調整を手動でおこなうため面倒であるという問題点があったが、本発明は、人手によるボリューム調整を行わず、簡単に且つ精度良くキャンセル信号レベルを調整して、最適なエコーキャンセルを実現できるエコーキャンセル回路を提供する。【解決手段】エコーキャンセルの調整動作として、送信信号として基準信号を用い、基準信号と基準信号から発生したエコー信号とをコンパレータ１４で比較して差分信号を求め、ＭＰＵ９で、差分信号からエコー信号のレベルを取得し、エコー信号のレベルに基づいて電子ボリューム４２のボリューム調整によりキャンセル信号のレベル調整を行うエコーキャンセル回路である。【選択図】　　　　図１
2004088210.tif 000002
【特許請求の範囲】
【請求項１】
送信信号を反転増幅する反転増幅部と、前記反転増幅された送信信号を送信すると共に、前記反転増幅された送信信号に基づいて発生するエコー信号が受信信号に含まれることになる送受信部と、前記送信信号をレベル調整したキャンセル信号を生成し、前記エコー信号を前記キャンセル信号で相殺するエコーキャンセル部とを有するエコーキャンセル回路であって、
エコーキャンセルの調整動作を行う場合に、前記送信信号として基準信号を用い、前記基準信号のレベルと前記基準信号から発生したエコー信号のレベルとを比較してレベル差分信号を求め、前記レベル差分信号から前記エコー信号のレベルを取得し、前記エコー信号のレベルに基づいて前記エコーキャンセル部におけるキャンセル信号のレベル調整を行うレベル調整部を設けたことを特徴とするエコーキャンセル回路。
【請求項２】
レベル調整部に対してエコーキャンセルの調整動作への切り換えを指示する切換部と、
予め定められた単一トーン信号を発振し、前記切換部からの指示に従い、前記単一トーン信号を基準信号として出力する基準信号発生部とを設けたことを特徴とする請求項１記載のエコーキャンセル回路。
【請求項３】
レベル調整部が、単一トーン信号を基準信号として用い、前記単一トーン信号のレベルと前記単一トーン信号から発生したエコー信号のレベルとを比較してレベル差分信号を求め、前記レベル差分信号を前記単一トーン信号の周期の２倍以上の周期でデジタル変換してレベル差分値を求め、前記単一トーン信号における周期の先頭を検出し、前記検出された先頭のタイミングで前記デジタル変換されたレベル差分値を取得し、前記取得したレベル差分値から前記エコー信号のレベルを取得し、前記取得したエコー信号のレベルに基づいて前記エコーキャンセル部におけるキャンセル信号のレベル調整を行うレベル調整部であることを特徴とする請求項２記載のエコーキャンセル回路。
【発明の詳細な説明】
【０００１】
【発明の属する技術分野】
本発明は、ＰＢＸ、局線インタフェースを有する基板における近端エコー（以降は、単にエコーと呼ぶ）をキャンセルするエコーキャンセル回路に係り、特に設置場所により変動するエコーレベルに簡単に適応できるエコーキャンセル回路に関する。
【０００２】
【従来の技術】
従来のエコーキャンセル回路について図２を使って説明する。図２は、従来のエコーキャンセル回路の例を示す回路図である。
従来のエコーキャンセル回路は、図２に示すように、音声信号の符号化／復号化を行うＣＯＤＥＣ１と、受信音声を増幅する受信音声増幅部２と、送信音声を増幅する送信音声増幅部３と、受信信号に含まれる送信信号のエコーをキャンセルするエコーキャンセル部４′と、送信信号を反転増幅する反転増幅部５と、トランス６と、モジュラプラグ７と、テスト状態表示ＬＥＤ８と、ＭＰＵ９′とから構成されていた。
【０００３】
特に、エコーキャンセル部４′の内部は、受信信号に含まれるエコーをキャンセルする為のキャンセル信号レベルを調整するボリューム抵抗４１とから構成されている。
また、反転増幅部５内部は、ＡＭＰ（３）とＡＭＰ（４）を組み合わせて反転増幅を実現している。
【０００４】
エコーキャンセルの原理としては、送信音声増幅部３から出力される送信信号が反転増幅部５で反転増幅されて逆位相となり、反転された送信信号が送信される際のトランス６などで反転信号に基づく近端エコーが発生し、送信信号とは逆位相のエコー信号が外線からの受信信号と共に受信系のラインに出力される。
【０００５】
一方、送信音声増幅部３から出力される送信信号が分岐されてボリューム抵抗４１を通り、抵抗値に応じてレベル調整されてキャンセル信号となり、キャンセル信号と上記近端エコーを含む受信信号とがミキシングされると、送信信号と同相のキャンセル信号と送信信号と逆位相の上記近端エコーとが相殺されて、エコーがキャンセルされることになる。
【０００６】
この時、受信信号に含まれるエコー信号のレベルと、ボリューム抵抗４１を通って出力されるキャンセル信号のレベルとが合致すれば、適切にエコーキャンセルが行われることになる。
【０００７】
通常、設置場所によってＰＢＸ、局線のインピーダンスが変動するので、エコーのレベルが変動するため、設置場所に応じてキャンセル信号のレベルを調整して最適なエコーキャンセルが行われるように設定作業が必要になる。
【０００８】
従来のエコーキャンセル回路では、設置場所によって異なるキャンセル信号レベルを調整する為の初期設定作業、或いは設置場所の変更等による調整作業として、例えば、調整用のトレーニング信号を電話機などから入力し、ＣＯＤＥＣ１、送信音声増幅部３を介して送信し、外線ラインからの受信信号がない状態で電話機に届く受信音声、即ちトレーニング信号に対して発生したエコーを聞きながら、手動でボリューム抵抗４１を調整してキャンセル信号レベルを調整し、最適にエコーがキャンセルされてエコーが聞かれなくなるようにボリューム抵抗４１の値を設定するようになっていた。
【０００９】
尚、上記初期設定作業、或いは調整作業の間は、作業中であることを外部に知らしめるため、ＭＰＵ９′の制御により、テスト状態表示ＬＥＤ８を点灯してテスト状態であることを表示するようになっている。
【００１０】
尚、エコーキャンセルの従来技術としては、平成１１年３月３０日公開の特開平１１−８８２３７号「エコーキャンセラ」（出願人：東洋通信機株式会社、発明者：木戸　俊雄他）がある。
この従来技術は、実際の通話時にエコーの推定を行って推定したエコーの消去を行うエコーキャンセラであり、これにより高精度にエコーの消去を実現でき、通話時における実質的なエコーキャンセルの能力を高めることができるものである。
【００１１】
【発明が解決しようとする課題】
しかしながら、従来のエコーキャンセル回路では、新規設置時の初期設定作業、或いは設置場所の変更等による調整作業として、エコーが聞こえなくなるように手動方式にてボリューム抵抗を調整しなければならず、人手による調整作業が面倒であり、またその労力がばかにならないという問題点があった。
【００１２】
本発明は上記実情に鑑みて為されたもので、人手によるボリューム調整を行わず、簡単に且つ精度良くキャンセル信号レベルを調整して、最適なエコーキャンセルを実現できるエコーキャンセル回路を提供することを目的とする。
【００１３】
【課題を解決するための手段】
上記従来例の問題点を解決するための本発明は、エコーキャンセル回路において、
送信信号を反転増幅する反転増幅部と、反転増幅された送信信号を送信すると共に、反転増幅された送信信号に基づいて発生するエコー信号が受信信号に含まれることになる送受信部と、送信信号をレベル調整したキャンセル信号を生成し、エコー信号をキャンセル信号で相殺するエコーキャンセル部とを有するエコーキャンセル回路であって、
エコーキャンセルの調整動作を行う場合に、送信信号として基準信号を用い、基準信号のレベルと基準信号から発生したエコー信号のレベルとを比較してレベル差分信号を求め、レベル差分信号からエコー信号のレベルを取得し、エコー信号のレベルに基づいてエコーキャンセル部におけるキャンセル信号のレベル調整を行うレベル調整部を設けたことを特徴とするものなので、人手によるボリューム調整を行わず、簡単に且つ精度良くキャンセル信号レベルを調整できる。
【００１４】
上記従来例の問題点を解決するための本発明は、上記エコーキャンセル回路において、
レベル調整部に対してエコーキャンセルの調整動作への切り換えを指示する切換部と、
予め定められた単一トーン信号を発振し、切換部からの指示に従い、単一トーン信号を基準信号として出力する基準信号発生部とを設けたことを特徴とするものなので、人手によるボリューム調整を行わず、簡単に且つ精度良くキャンセル信号レベルを調整できる。
【００１５】
上記従来例の問題点を解決するための本発明は、上記エコーキャンセル回路において、
レベル調整部が、単一トーン信号を基準信号として用い、単一トーン信号のレベルと単一トーン信号から発生したエコー信号のレベルとを比較してレベル差分信号を求め、レベル差分信号を単一トーン信号の周期の２倍以上の周期でデジタル変換してレベル差分値を求め、単一トーン信号における周期の先頭を検出し、検出された先頭のタイミングでデジタル変換されたレベル差分値を取得し、取得したレベル差分値からエコー信号のレベルを取得し、取得したエコー信号のレベルに基づいてエコーキャンセル部におけるキャンセル信号のレベル調整を行うレベル調整部であることを特徴とするものなので、人手によるボリューム調整を行わず、簡単に且つ精度良くキャンセル信号レベルを調整できる。
【００１６】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１７】
上位概念的に説明すれば、本発明に係るエコーキャンセル回路は、エコーキャンセルの調整動作を行う場合に、送信信号として基準信号を用い、基準信号のレベルと基準信号から発生したエコー信号のレベルとを比較してレベル差分信号を求め、レベル差分信号からエコー信号のレベルを取得し、エコー信号のレベルに基づいてキャンセル信号のレベル調整を行うものなので、人手によるボリューム調整を行わず、簡単に且つ精度良くキャンセル信号レベルを調整できるものである。
【００１８】
機能実現手段で説明すれば、本発明に係るエコーキャンセル回路は、送信信号を反転増幅する反転増幅部と、反転増幅された送信信号を送信すると共に、反転増幅された送信信号に基づいて発生するエコー信号が受信信号に含まれることになる送受信部と、送信信号をレベル調整したキャンセル信号を生成し、エコー信号をキャンセル信号で相殺するエコーキャンセル部とを有し、エコーキャンセルの調整動作を行う場合に、送信信号として基準信号を用い、基準信号のレベルと基準信号から発生したエコー信号のレベルとを比較してレベル差分信号を求め、レベル差分信号からエコー信号のレベルを取得し、エコー信号のレベルに基づいてエコーキャンセル部におけるキャンセル信号のレベル調整を行うレベル調整部と、レベル調整部に対してエコーキャンセルの調整動作への切り換えを指示する切換部と、予め定められた単一トーン信号を発振し、切換部からの指示に従い、単一トーン信号を基準信号として出力する基準信号発生部とを設け、基準信号のレベルと基準信号から発生したエコー信号のレベルとの比較により求めたエコー信号レベルに基づいてキャンセル信号のレベル調整を行うものなので、人手によるボリューム調整を行わず、簡単に且つ精度良くキャンセル信号レベルを調整できるものである。
【００１９】
尚、本発明の実施の形態における各部と図１の各部との対応を示すと送受信部は、トランス６及びモジュラプラグ７に相当し、レベル調整部は、周期生成回路１２，コンパレータ１４，Ａ／Ｄコンバータ１５，ＭＰＵ９に相当し、切換部は、テストスイッチ１０、ＭＰＵ９，セレクター回路１３に相当し、基準信号発生部は、信号発生器１１、セレクター回路１３に相当している。
【００２０】
本発明の実施の形態に係るエコーキャンセル回路について図１を使って説明する。図１は、本発明の実施の形態に係るエコーキャンセル回路の回路図である。尚、図２と同様の構成をとる部分については同一の符号を付して説明する。尚、図１では、制御信号を点線で示している。
【００２１】
本発明の実施の形態に係るエコーキャンセル回路は、図１に示すように、従来と同様の構成として、音声信号の符号化／復号化を行うＣＯＤＥＣ１と、受信音声を増幅する受信音声増幅部２と、送信音声を増幅する送信音声増幅部３と、エコーをキャンセルするエコーキャンセル部４と、送信信号を反転増幅する反転増幅部５と、トランス６と、モジュラプラグ７と、テスト状態表示ＬＥＤ８と、ＭＰＵ９とから構成され、更に、本発明の特徴部分として、テストスイッチ１０と、信号発生器１１と、周期生成回路１２と、セレクター回路１３と、コンパレータ１４と、Ａ／Ｄコンバータ１５とを設けている。
尚、エコーキャンセル部４とＭＰＵ９については、その内部構成又は動作が従来とは異なっている。
【００２２】
本発明のエコーキャンセル回路の各部について説明するが、従来と全く同様の構成であるＣＯＤＥＣ１、受信音声増幅部２、送信音声増幅部３、反転増幅部５、トランス６、モジュラプラグ７、テスト状態表示ＬＥＤ８については説明を省略し、本発明の特徴部分について説明する。
【００２３】
エコーキャンセル部４は、従来と同様にエコーをキャンセルする為の構成であるが、その内部は、従来のボリューム抵抗４１の代わりに電子ボリューム４２が設けられている。
【００２４】
電子ボリューム４２は、従来のボリューム抵抗４１と同様に受信信号に含まれるエコーをキャンセルする為のキャンセル信号のレベルを調整するものであるが、従来のボリューム抵抗４１のように抵抗値が手動でアナログ的に調整されるのではなく、本発明の電子ボリューム４２は、そのボリュームがデジタル値で設定され、ボリュームのデジタル値（ボリューム値）はＭＰＵ９からの制御信号によって設定されるものである。
【００２５】
テストスイッチ１０は、ＭＰＵ９をエコー調整を行うエコー自動調整モードと、通常運用モードとで切り換えるスイッチである。テストスイッチ１０は、例えばトグルスイッチ等を用い、人手による操作で切り換えられ、その状態の管理はＭＰＵ９にて行うようになっている。
【００２６】
信号発生器１１は、エコーを自動調整するための基準となる予め定めた特定周波数の単一トーン信号を発生する機能を有する発振器である。
【００２７】
周期生成回路１２は、信号発生器１１で発生した単一トーン信号を入力し、信号の周期の先頭を検出して、単一トーン信号の周期の先頭のタイミングをＭＰＵ９に知らせる機能を有するものである。
【００２８】
セレクター回路１３は、ＣＯＤＥＣ１から出力される通常運用の送信信号と、信号発生器１１から発振される単一トーン信号とを切り換えて、後続の送信系に出力するセレクトスイッチである。そして切り換え制御は、ＭＰＵ９からの制御によって行われ、エコー自動調整モードの時には信号発生器１１からの単一トーン信号が出力され、通常運用モードの時には、ＣＯＤＥＣ１からの送信信号が出力されるように切り換えられる。
【００２９】
コンパレータ１４は、ＭＰＵ９からの制御によってエコー自動調整モードの時に動作し、エコーキャンセル部４に入力される単一トーン信号のレベルと、反転増幅部５で反転増幅された単一トーン信号に対してトランス６などで発生した近端エコーのレベルとを比較してレベル差分信号を出力する機能を有するものである。
【００３０】
Ａ／Ｄコンバータ１５は、コンパレータ１４から出力されるレベル差分信号のアナログ信号をデジタル値に変換し、レベル差分値を求める機能を有する一般的なＡ／Ｄ変換器である。
尚、本発明のＡ／Ｄコンバータ１５では変換周期として、信号発生器１１で発振する単一トーンの１周期分を、単一トーンの周波数の２倍以上の周期でサンプリングして、アナログ／デジタル変換するようになっている。
【００３１】
ＭＰＵ９は、エコーキャンセル回路内を、エコー調整を行うエコー自動調整モードと、通常運用モードとで切り換える制御を行い、更に、エコー自動調整モードにおけるエコー調整制御を行うものである。
具体的には、テストスイッチ１０の状態を監視し、テストスイッチ１０が通常運用モードの時には、セレクター回路１３をＣＯＤＥＣ１からの送信信号が送信系に出力されるように切り換える。
【００３２】
一方、テストスイッチ１０がエコー自動調整モードの時には、セレクター回路１３を信号発生器１１からの単一トーン信号が送信系に出力されるように切り換えると共に、信号発生器１１、周期生成回路１２、コンパレータ１４，Ａ／Ｄコンバータ１５を動作させ、更にテスト状態表示ＬＥＤ８を点灯させて、テスト状態であることを報知する。
【００３３】
そして、周期生成回路１２からの単一トーン信号の周期の先頭のタイミングをトリガとして、Ａ／Ｄコンバータ１５のレベル差分信号のデジタル値（レベル差分値）を読み取り、レベル差分値に基づいて、発生した近端エコー信号の信号レベル値を取得する。
【００３４】
エコー信号レベル値の取得方法としては、信号発生器１１で発生され、送信音声増幅部３で増幅された単一トーンのレベルが定まっているという前提で、予めレベル差分値に対応するエコー信号レベルの値（エコー信号レベル値）をテーブルなどで保持し、Ａ／Ｄコンバータ１５から読み取ったレベル差分値からテーブルを参照してエコー信号レベル値を取得してもよいし、レベル差分値を計算式に当てはめて、エコー信号レベル値を計算により求める方法でも良い。
【００３５】
そして、取得されたエコー信号レベル値に基づいて、対応するキャンセル信号レベルを実現できるように、電子ボリューム４２のボリューム値を決定し、決定されたボリューム値を指示する制御信号を電子ボリューム４２に出力してキャンセル信号のレベル調整を行うようになっている。
【００３６】
電子ボリューム４２の具体的な調整方法は、エコー信号レベル値が大きい時には、それをうち消すためのキャンセル信号レベルを大きくする方向でボリューム値を大きく調整し、逆にエコー信号レベル値が小さい時には、それをうち消すためのキャンセル信号レベルを小さくする方向でボリューム値を小さく調整する。
【００３７】
また、電子ボリューム４２の調整制御方法としては、予めエコー信号レベル値に対応する電子ボリューム４２のボリューム値をテーブルなどで保持し、取得されたエコー信号レベル値からテーブルを参照することによってボリューム値を取得してもよいし、取得されたエコー信号レベル値を計算式に当てはめて計算によりボリューム設定値を求める方法でも良い。
【００３８】
そして、ＭＰＵ９はエコーキャンセルの調整が完了すると、テスト状態表示ＬＥＤ８を消灯して調整完了を報知し、作業員によって、テストスイッチ１０が通常運用モードに切り換えられると、それを感知し、セレクター回路１３をＣＯＤＥＣ１からの送信信号が送信系に出力されるように切り換えると共に、信号発生器１１、周期生成回路１２、コンパレータ１４，Ａ／Ｄコンバータ１５の動作を停止させるようになっている。
【００３９】
次に、本発明のエコーキャンセル回路の初期設定作業、或いは調整作業時の動作について、図１を使って説明する。
本発明のエコーキャンセル回路では、初期設定作業、或いは調整作業時に、作業員によってテストスイッチ１０がエコー自動調整モードに切り換えられると、ＭＰＵ９によってそれが検知され、ＭＰＵ９の制御で、セレクター回路１３のスイッチが信号発生器１１側に切り換えられ、信号発生器１１、周期生成回路１２、コンパレータ１４，Ａ／Ｄコンバータ１５が動作させられ、更にテスト状態表示ＬＥＤ８が点灯される。
【００４０】
そして、信号発生器１１で単一トーン信号が発振され、セレクター回路１３を介して送信音声増幅部３で増幅され、エコーキャンセル部４に入力され、エコーキャンセル部４内で、単一トーン信号は、３つに分岐され、１つは電子ボリューム４２を介してキャンセル信号として受信系とミキシングされ、１つはエコー制御の為にコンパレータ１４に入力され、１つは通常の送信信号と同様に反転増幅部５に入力される。
【００４１】
反転増幅部５に入力された単一トーン信号は反転増幅されて逆位相となり、反転された単一トーン信号が送信される際のトランス６などで反転信号に基づく近端エコーが発生し、この時、外線ライン側からの受信信号はないので、単一トーン信号とは逆位相の発生した近端エコー信号だけが受信系に出力され、２つに分岐されて、１つは、エコー制御の為にコンパレータ１４に入力され、１つは通常の受信信号と同様に受信音声増幅部２に向かって出力され、途中エコーキャンセル部４の電子ボリューム４２から出力されるキャンセル信号とミキシングされて、エコーがキャンセルされた信号が受信音声増幅部２に出力される。
【００４２】
この時、コンパレータ１４では、送信系の単一トーン信号と、発生した近端エコー信号とが入力され、両信号のレベルが比較されてレベル差分信号が出力され、Ａ／Ｄコンバータ１５でデジタル信号に変換されてレベル差分値が求められる。
【００４３】
一方、信号発生器１１で発振された単一トーン信号は、周期生成回路１２に入力され、周期生成回路１２で信号の周期の先頭が検出されてそのタイミングがＭＰＵ９に入力され、ＭＰＵ９でこのタイミングをトリガとして、Ａ／Ｄコンバータ１５で変換されたレベル差分値を読み取り、読みとられたレベル差分値から近端エコー信号のエコー信号レベル値が計算され、更にエコー信号レベル値から対応するキャンセル信号レベルを実現できる電子ボリューム４２のボリューム値が決定され、ＭＰＵ９からの制御信号で当該ボリューム値が電子ボリューム４２に出力されて、電子ボリューム４２のボリューム値が設定される。
【００４４】
その結果、送信系の単一トーン信号から電子ボリューム４２でレベル調整されて出力される単一トーン信号と同相のキャンセル信号と、受信系に出力された単一トーン信号とは逆位相の近端エコー信号とがミキシングされ、両信号のレベルが合致して互いに相殺されて、エコーキャンセルが最適化されていることになる。
【００４５】
そして、エコーキャンセルの調整が完了すると、ＭＰＵ９の制御により、テスト状態表示ＬＥＤ８が消灯され、作業員がそれを確認してテストスイッチ１０が通常運用モードに切り換えられると、ＭＰＵ９によってそれが感知され、セレクター回路１３がＣＯＤＥＣ１側に切り換えられて、ＣＯＤＥＣ１からの送信信号が送信系に出力されるようになり、またＭＰＵ９の制御によって、信号発生器１１，周期生成回路１２，コンパレータ１４，Ａ／Ｄコンバータ１５の動作が停止される。
【００４６】
これにより、電子ボリューム４２が当該設置場所に最適に調整された状態で、通常運用状態に入り、ＣＯＤＥＣ１からの送信信号に対してトランス６などでエコーが発生して受信信号に含まれても、送信信号に対して電子ボリューム４２でレベル調整されて出力されるキャンセル信号と、受信系に出力されたエコーを含む受信信号とがミキシングされ、エコーとキャンセル信号とが互いに相殺されて、エコーが確実にキャンセルされることになる。
【００４７】
図１に示した構成では、送信系の単一トーン信号をコンパレータ１４に入力して、コンパレータ１４で送信系の単一トーン信号と近端エコー信号とのレベル差分を求め、求めたレベル差分に基づいて電子ボリューム４２の調整を行ったが、送信系の単一トーン信号の代わりに電子ボリューム４２でレベル調整した後のキャンセル信号をコンパレータ１４に入力して、コンパレータ１４でキャンセル信号と近端エコー信号とのレベル差分を求め、求めたレベル差分が最小になるように電子ボリューム４２の調整を徐々に行うようにしても構わない。
【００４８】
この時には、エコー自動調整モード開始時に、予め定めておいた最適推定値で電子ボリューム４２を設定し、コンパレータ１４で求めたレベル差分が最小になるように電子ボリューム４２のボリューム値を微調整する。
また、微調整を行っている間は、ＭＰＵ９の制御によってテスト状態表示ＬＥＤ８を点灯から点滅状態にすると調整中であることが認識しやすい。
【００４９】
また、上記説明では、保守作業員等の操作によって、テストスイッチ１０がエコー自動調整モードに切り換えられると、ＭＰＵ９によってそれが検知されてエコー自動調整モードの動作が行われるように説明したが、エコーのレベルが激しく変化するような環境にある場合には、ＭＰＵ９の制御で定期的にエコー自動調整モードの動作が行われるようにしても構わない。
【００５０】
また、上記説明では、エコー調整を行うための構成である信号発生器１１、周期生成回路１２，コンパレータ１４，Ａ／Ｄコンバータ１５をＭＰＵ９の制御によりエコー自動調整モードになったときに動作させるように説明したが、制御を簡単にするためには、当該各構成を常時動作させておき、ＭＰＵ９におけるモード切替に応じ、通常運用モードでは、周期生成回路１２からの信号及びＡ／Ｄコンバータ１５のデジタル値を使用せず、エコー自動調整モードの動作の過程で、周期生成回路１２からのタイミングをトリガとして採用し、Ａ／Ｄコンバータ１５におけるデジタル値を読みとるようにしても構わない。
【００５１】
本発明の実施の形態に係るエコーキャンセル回路によれば、ＭＰＵ９の制御により、基準信号として単一トーン信号を用い、当該単一トーン信号と単一トーン信号から発生した近端エコー信号の差分値を取得し、差分値からエコー信号レベル値を求め、エコー信号レベル値に対応するキャンセル信号のレベルを実現するように電子ボリューム４２のボリューム値を設定して調整するので、人手によるアナログ的な微妙なボリューム調整を行わないため、調整作業の手間を省き、更に、簡単に且つ精度良くキャンセル信号レベルを調整して、最適なエコーキャンセルを実現できる効果がある。
【００５２】
本発明の実施の形態に係るエコーキャンセル回路によれば、エコー自動調整モードの時に、ＭＰＵ９の制御により、信号発生器１１から発生された基準信号である単一トーン信号を用い、コンパレータ１４で送信系の単一トーン信号と、当該単一トーン信号から発生した近端エコー信号とを比較してレベル差分信号を求め、Ａ／Ｄコンバータ１５でレベル差分信号をデジタル変換してレベル差分値を求め、ＭＰＵ９がレベル差分値からエコー信号レベル値を取得し、エコー信号レベル値に対応するキャンセル信号レベルを実現する電子ボリューム４２のボリューム値を設定し、送信系の単一トーン信号を電子ボリューム４２でレベル調整したキャンセル信号を受信系にミキシングするので、人手によるアナログ的な微妙なボリューム調整を行わないため、調整作業の手間を省き、更に、簡単に且つ精度良くキャンセル信号レベルを調整して、最適なエコーキャンセルを実現できる効果がある。
【００５３】
本発明の実施の形態に係るエコーキャンセル回路によれば、ＭＰＵ９がテストスイッチ１０の状態を監視し、テストスイッチ１０がエコー自動調整モードに切り替わると、ＭＰＵ９がそれを感知してテスト状態表示ＬＥＤ８を点灯し、エコー自動調整モードの動作を行い、調整動作が完了すると、テスト状態表示ＬＥＤ８を消灯するので、保守作業員はテストスイッチ１０のエコー自動調整モードへの切替で調整動作を指示して、テスト状態表示ＬＥＤ８の点灯で指示を確認し、テスト状態表示ＬＥＤ８の消灯で調整完了を確認して、テストスイッチ１０を通常運用モードに戻せば良く、簡単なスイッチ操作だけで、面倒な初期設定作業、或いは調整作業を行うことができる効果がある。
【００５４】
本発明の実施の形態に係るエコーキャンセル回路によれば、コンパレータ１４で送信系の単一トーン信号と、当該単一トーン信号から発生した近端エコー信号とを比較してレベル差分信号を求め、Ａ／Ｄコンバータ１５においてレベル差分信号を単一トーンの周波数の２倍以上の周期でサンプリングしてアナログ／デジタル変換してレベル差分のデジタル値を求め、近端エコー信号のレベル値を取得し、近端エコー信号のレベル値から電子ボリューム４２のボリュームを設定するので、レベル差分をデジタル値で正確に求めることができ、精度良くキャンセル信号レベルを調整して、最適なエコーキャンセルを実現できる効果がある。
【００５５】
【発明の効果】
本発明によれば、エコーキャンセルの調整動作を行う場合に、レベル調整部が送信信号として基準信号を用い、基準信号のレベルと基準信号から発生したエコー信号のレベルとを比較してレベル差分信号を求め、レベル差分信号からエコー信号のレベルを取得し、エコー信号のレベルに基づいてエコーキャンセル部におけるキャンセル信号のレベル調整を行うエコーキャンセル回路としているので、人手によるボリューム調整を行わず、簡単に且つ精度良くキャンセル信号レベルを調整して、最適なエコーキャンセルを実現できる効果がある。
【００５６】
本発明によれば、切換部がレベル調整部に対してエコーキャンセルの調整動作への切り換えを指示し、基準信号発生部が、予め定められた単一トーン信号を発振し、切換部からの指示に従い、単一トーン信号を基準信号として出力する上記エコーキャンセル回路としているので、人手によるボリューム調整を行わず、簡単に且つ精度良くキャンセル信号レベルを調整して、最適なエコーキャンセルを実現できる効果がある。
【００５７】
本発明によれば、レベル調整部が、単一トーン信号を基準信号として用い、単一トーン信号のレベルと単一トーン信号から発生したエコー信号のレベルとを比較してレベル差分信号を求め、レベル差分信号を単一トーン信号の周期の２倍以上の周期でデジタル変換してレベル差分値を求め、単一トーン信号における周期の先頭を検出し、検出された先頭のタイミングでデジタル変換されたレベル差分値を取得し、取得したレベル差分値からエコー信号のレベルを取得し、取得したエコー信号のレベルに基づいてエコーキャンセル部におけるキャンセル信号のレベル調整を行う上記エコーキャンセル回路としているので、人手によるボリューム調整を行わず、簡単に且つ精度良くキャンセル信号レベルを調整して、最適なエコーキャンセルを実現できる効果がある。
【図面の簡単な説明】
【図１】本発明の実施の形態に係るエコーキャンセル回路の回路図である。
【図２】従来のエコーキャンセル回路の例を示す回路図である。
【符号の説明】
１…ＣＯＤＥＣ、　２…受信音声増幅部、　３…送信音声増幅部、　４，４′…エコーキャンセル部、　５…反転増幅部、　６…トランス、　７…モジュラプラグ、　８…テスト状態表示ＬＥＤ、　９，９′…ＭＰＵ、　１０…テストスイッチ、　１１…信号発生器、　１２…周期生成回路、　１３…セレクター回路、１４…コンパレータ、　１５…Ａ／Ｄコンバータ、　４１…ボリューム抵抗４１、　４２…電子ボリューム
【図１】
2004088210.tif 000003
【図２】
2004088210.tif 000004